(57)【特許請求の範囲】
【請求項１】
キッチン空間とダイニング空間との間に設置した家具と、この家具に設けたコンロとを備え、前記コンロは本体に設けた熱源を操作する手動操作部とリモコン操作部を有すると共に、一方の操作部をキッチン空間側に、他方の操作部をダイニング空間側に設け、リモコンからのリモコン操作部への操作出力の有効、無効を切り換える切換部を、キッチンとダイニングの両空間側に設けた厨房家具。
【請求項２】
本体の適所に操作状況または／及び熱源の出力状況を表示する表示部を設けた請求項１記載の厨房家具。
【請求項３】
リモコン操作部に操作状況または／及び熱源の出力状況を表示する表示部を設けた請求項１または２記載の厨房家具。
【発明の詳細な説明】
【０００１】
【発明の属する技術分野】
本発明はコンロを備えた間仕切り用の厨房家具に関するものである。
【０００２】
【従来の技術】
一般にこの種の厨房家具はキッチン空間とダイニング空間との間に設置されていて、キッチン空間に居る主婦はダイニング空間に居る家族とコミニュケーションを取りながら作業が出来るようになっている。
【０００３】
【発明が解決しようとする課題】
しかしながら上記従来の厨房家具はキッチン空間側から厨房家具に設けられているコンロを使用できてもダイニング空間側からこれらを使用できるものではなかった。特にその操作は出来ないものであり、ダイニング空間にいる主婦はキッチン空間まで戻らなければならないという課題があった。
【０００４】
【課題を解決するための手段】
本発明は上記課題を解決するため、キッチン空間とダイニング空間との間に設置した家具のコンロに手動操作部とリモコン操作部を設け、一方の操作部はキッチン空間側に、他方の操作部はダイニング空間側に設けた構成としてある。
【０００５】
これによりコンロはキッチン空間はもちろんダイニング空間側からも操作することができ、しかもその一方はリモコン式であるから操作性が向上する。
【０００６】
【発明の実施の形態】
本発明は各請求項に記載の構成によって実施することが出来る。
【０００７】
すなわち、請求項１記載の厨房家具は、キッチン空間とダイニング空間との間に設置した家具と、この家具に設けたコンロとを備え、前記コンロは本体に設けた熱源を操作する手動操作部とリモコン操作部を有すると共に、一方の操作部をキッチン空間側に、他方の操作部をダイニング空間側に設けた構成としてあり、コンロはキッチン空間はもちろんダイニング空間側からも操作することができ、しかもその一方はリモコン操作性が可能となる。また、請求項１記載の厨房家具は、リモコンからのリモコン操作部への操作出力の有効、無効を切り換える切換部を、キッチンとダイニングの両空間側に設けた構成としてあり、主婦が厨房家具から離れる場合はリモコン操作部の操作を無効としておくことによって安全を確保することができる。
【０００８】
また請求項２記載の厨房家具は、本体の適所に操作状況または／及び熱源の出力状況を表示する表示部を設けた構成としてあり、リモコン操作部で火力操作が行なわれた場合、直ちにその状況をコンロ本体の表示を見て知ることが出来る。
【０００９】
また請求項３記載の厨房家具は、リモコン操作部に操作状況または／及び熱源の出力状況を表示する表示部を設けた構成としてあり、手動操作された場合リモコン操作部側でも火力操作状況を知ることが出来るので使い勝手が向上する。
【００１１】
【実施例】
以下本発明の実施例を図面に基づいて説明する。
【００１２】
図１において、１は壁面２に沿って配置した壁面家具、３はキッチン空間４とダイニング空間５との間に配置した家具で、ダイニング空間５にはテーブル６と椅子７が設置してある。８は前記家具３に設けた水槽で、蛇口９が略中央部分に設けてあり、キッチン、ダイニング両空間から使用できるようになっている。１０は前記水槽８に設けたプレートで、キッチン、ダイニング領空感側へスライド自在としてある。
【００１３】
１１は前記家具に設けたコンロで、その本体１２にガス熱源部１３と電気熱源部１４とが設けてある。このコンロ１１はその本体１２のキッチン空間側に手動操作部１５が設けてあり、ダイニング空間側にはリモコン１６で操作されるリモコン操作部（受信部）１７が設けてある。そして上記本体１２のキッチン、ダイニング両空間側にはリモコン１６からリモコン操作部１７への操作出力の有効、無効を切り換える切換部１８、１９が設けてある。また前記本体１２の適所、例えば上面に手動、リモコン両操作部の操作状況と熱源の出力状況のいずれか又は両方を表示する表示部２０が設けてある。そしてこれと同様の表示部２１が前記リモコン１５に設けてある。
【００１４】
上記構成において、主婦は通常キッチン空間４側にいてコンロ１１の手動操作部１５を操作しコンロ１１を使用するが、ダイニング空間５でテーブル６の椅子７に座って食事、或いは家族と団欒しているときにコンロ１１の例えば火力を調節したい場合は、リモコン１６をもって操作すればわざわざキッチン空間４に行って手動操作部１５を操作しなくてもよく、椅子７に座ったままコンロ１１を使用することが出来る。
【００１５】
また、その際リモコン１６には火力調節の状況が表示されるので熱源部の火力が直視出来なくても支障はなく、しかも例えばキッチン空間４側で家族の一員、例えばお婆さんが手動操作した場合はその捜査状況やも火力状況を知ることが出来、使い勝手がよい。これはリモコン１６で操作した場合でも同様で、キッチン空間４側でコンロ本体１２の表示部２０を見てその状況を知ることが出来る。
【００１６】
また主婦がキッチン、ダイニング両空間から離れるような場合、切り換え部１８、１９のいずれか一方を操作しておけば子供が誤ってリモコン１６を操作してもコンロ１１が作動状態になることが無く、或いは使用中に停止させられるようなことがなく、安全性と信頼性を確保することが出来る。そして上記切り換え部１８、１９はキッチン、ダイニング両空間側に設けてあるので、主婦はわざわざ今居る場所からキッチン空間４へ或いはダイニング空間５へと移動する必要もなく使い勝手がよい。
【００１７】
なお、リモコン１６は赤外線、無線のいずれの方式であってもよく、また無線式にすればリモコン操作部１６をキッチン空間側に設けてもよく、本発明の目的を達成する範囲であればどのように構成しても良いものである。
【００１８】
【発明の効果】
上記説明から明らかなように本発明は次のような効果がある。
【００１９】
請求項１記載の厨房家具は、コンロをキッチン空間はもちろんダイニング空間側からも操作することができ、しかもその一方はリモコン式であるから操作性が向上する。更に、リモコン操作部の操作出力の有効、無効を切り換える切換部をキッチンとダイニングの両空間側に設けてあるので、主婦が厨房家具から離れる場合はリモコン操作部の操作を無効としておくことによって安全を確保することができる。
【００２０】
また請求項２記載の厨房家具は、本体の適所に操作状況または／及び熱源の出力状況を表示する表示部を設けた構成としてあり、リモコン操作部で火力操作が行なわれた場合、直ちにその状況を主婦はコンロ本体の表示を見て知ることが出来る。
【００２１】
また請求項３記載の厨房家具は、リモコン操作部に操作状況または／及び熱源の出力状況を表示する表示部を設けた構成としてあり、手動操作された場合リモコン操作部側でも火力操作状況を知ることが出来るので使い勝手が向上する。
【図面の簡単な説明】
【図１】本発明の厨房家具の一例を示す平面図
【符号の説明】
３  家具
４  キッチン空間
５  ダイニング空間
１１  コンロ
１２  本体
１３  ガス熱源部
１４  電気熱源部
１５  手動操作部
１６  リモコン
１７  リモコン操作部
１８、１９  切り換え部
【図１】
0004501189.tif 000002